(57)【要約】【課題】プリント品質の向上を効率よくアピールするのを促進することができる画像処理装置及び記録媒体を提供する。【解決手段】デジタルラボシステムでは、写真フィルムに記録された撮影画像をＣＣＤで読取り、読取った元画像を補正処理して印画紙に焼付け露光し、現像処理する。また、補正画像データと元画像データとから差分データを生成し、生成した差分データ、補正画像データ、補正内容を表す補正データと共に、元画像と補正画像とを比較表示するための表示プログラムをＣＤ−Ｒディスクに記録して、ユーザへ提供する。ユーザがＣＤ−Ｒディスクに記録された表示プログラムをパーソナルコンピュータで起動させると、元画像と補正画像とが比較表示されると共に、補正データに基づいて補正内容を表す解説が表示される。【選択図】　　　図５
2004112053.tif 000002
【特許請求の範囲】
【請求項１】
撮影画像を入力する画像入力手段と、
前記画像入力手段で入力した撮影画像を補正する補正手段と、
補正した撮影画像を第１の記録媒体に記録する撮影画像記録手段と、
補正前の元画像と補正後の補正画像とを外部装置において比較表示するための画像情報と、前記画像情報に基づいて前記元画像と前記補正画像とを前記外部装置において比較表示するための表示プログラムと、を第２の記録媒体に記録するプログラム記録手段と、
を備えた画像処理装置。
【請求項２】
前記画像情報は、前記補正画像の補正画像データと、前記補正画像データから前記元画像の元画像データを生成するための前記補正画像データと前記元画像データとの差分データと、を含み、
前記表示プログラムは、前記外部装置において前記補正画像データと前記差分データとから前記元画像データを生成して、前記元画像と前記補正画像とを前記外部装置に比較表示させる機能を有することを特徴とする請求項１記載の画像処理装置。
【請求項３】
前記画像情報は、前記元画像の元画像データと、前記補正画像の補正画像データとを含み、
前記表示プログラムは、前記外部装置において前記元画像と前記補正画像とを前記外部装置に比較表示させる機能を有することを特徴とする請求項１記載の画像処理装置。
【請求項４】
前記画像情報は、前記補正手段の補正内容を表す補正データをさらに含み、前記表示プログラムは、前記補正データに基づいて補正内容を前記外部装置に表示させる機能をさらに有することを特徴とする請求項１乃至請求項３の何れか１項に記載の画像処理装置。
【請求項５】
前記画像情報は、前記元画像の元画像データと、前記補正手段の補正内容を表す補正データと、を含み、
前記表示プログラムは、前記外部装置において前記元画像データと前記補正データとから前記補正画像の補正画像データを生成して、前記元画像と前記補正画像とを前記外部装置に比較表示させると共に、前記補正データに基づいて補正内容を前記外部装置に表示させる機能を有することを特徴とする請求項１記載の画像処理装置。
【請求項６】
前記請求項１乃至請求項５の何れか１項に記載の画像処理装置により、前記補正前の元画像と補正後の補正画像とを外部装置において比較表示するための画像情報と、前記画像情報に基づいて前記元画像と前記補正画像とを前記外部装置において比較表示するための表示プログラムと、が記録された記録媒体。
【発明の詳細な説明】
【０００１】
【発明の属する技術分野】
本発明は、画像処理装置及び記録媒体に係り、より詳しくは、写真フィルムや記録メディアに記録された撮影画像を画像処理する画像処理装置及び記録媒体に関する。
【０００２】
【従来の技術】
近年では、写真フィルムに記録された撮影画像をＣＣＤ等の読取センサによって光電的に読み取り、該読み取りによって得られたデジタル画像データや、デジタルカメラで撮影した撮影画像のデジタル画像データに対し拡大縮小や各種補正等の画像処理を実行し、画像処理済のデジタル画像データに基づき変調したレーザ光により記録材料へ画像を形成する技術、すなわち所謂デジタルプリントが知られている（例えば特許文献１参照）。
【０００３】
このようなデジタルプリントでは、デジタル画像データに適宜画像処理を施すことによりプリント品質を容易に向上させることができる。
【０００４】
【特許文献１】
特開２００２−６４６８８号公報（図１）。
【０００５】
【発明が解決しようとする課題】
しかしながら、従来のラボ店のサービスは、顧客の注文に応じてデジタルプリント処理を行って対価と引き換えに写真プリントを受け渡すだけであり、折角デジタルプリントによってプリント品質を向上させているにも拘わらず、その点を顧客に対して積極的にアピールしているとはいえないのが現状である。
【０００６】
また、デジタルプリントの良さをアピールしてリピーターや新規顧客の獲得を図るために、デジタルプリント処理によってプリント品質が向上していることを顧客１人１人に写真プリントの受け渡し時に説明していたのでは、作業効率が悪化してしまい好ましくない。
【０００７】
本発明は、上記事実に鑑みて成されたものであり、プリント品質の向上を効率よくアピールするのを促進することができる画像処理装置及び記録媒体を提供することを目的とする。
【０００８】
【課題を解決するための手段】
上記目的を達成するために、請求項１記載の画像処理装置の発明は、撮影画像を入力する画像入力手段と、前記画像入力手段で入力した撮影画像を補正する補正手段と、補正した撮影画像を第１の記録媒体に記録する撮影画像記録手段と、補正前の元画像と補正後の補正画像とを外部装置において比較表示するための画像情報と、前記画像情報に基づいて前記元画像と前記補正画像とを前記外部装置において比較表示するための表示プログラムと、を第２の記録媒体に記録するプログラム記録手段と、を備えたことを特徴とする。
【０００９】
この発明によれば、画像入力手段は、例えばネガフィルムやポジフィルム等の銀塩式カメラで撮影した撮影画像を記録するための写真フィルムや、デジタルカメラ等で撮影した撮影画像を記録するための各種メモリーカード及び書込可能なディスク状の記録メディア等の、撮影画像記録用の記録媒体に記録された撮影画像を入力する。
【００１０】
この撮影画像記録用の記録媒体は、ユーザがサービスを希望する撮影画像が記録されたものである。撮影画像記録用の記録媒体が写真フィルムの場合には、画像入力手段は光源やＣＣＤ等の撮像素子を含んで構成され、光源から写真フィルムに光を照射し、写真フィルムを透過した光をＣＣＤで読取ることにより撮影画像の画像データを得ることができる。また、撮影画像記録用の記録媒体が記録メディアの場合には、この記録メディアに記録された撮影画像を読取るためのインターフェースが画像読取手段となる。
【００１１】
なお、撮影画像は、スキャナにより読取った撮影画像を入力したり、インターネット等のネットワーク経由でユーザから送信された撮影画像を入力してもよい。この場合、画像入力手段は、スキャナやネットワーク通信機器となる。
【００１２】
補正手段は、読取った撮影画像に対してプリント品質を向上させるための各種補正や画像処理を施す。補正には、例えば色補正や階調補正等の各種補正やハイパートーン処理やハイパーシャープネス処理等の各種画像処理が含まれる。
【００１３】
補正された撮影画像は、撮影画像記録手段によって第１の記録媒体に記録される。この第１の記録媒体は、例えば印画紙等の紙媒体や、各種メモリーカード、書込可能なディスク状の記録メディア等が用いられる。第１の記録媒体は、ユーザが希望するサービスによってユーザへ提供されるものである。
【００１４】
第１の記録媒体が印画紙の場合には、撮影画像記録手段は、補正された撮影画像に応じて変調したレーザ光を印画紙に照射して、走査露光によって印画紙に画像を記録するレーザプリンタ部や、レーザプリンタ部で走査露光によって画像が記録された印画紙に対し、発色現像、漂白定着、水洗、乾燥の各処理を施すプロセッサ部等を含んで構成される。また、第１の記録媒体が記録メディアの場合には、この記録メディアに撮影画像を記録するためのインターフェースが撮影画像記録手段となる。
【００１５】
プログラム記録手段は、補正前の元画像と補正後の補正画像とを外部装置において比較表示するための画像情報と、画像情報に基づいて元画像と補正画像とを外部装置において比較表示するための表示プログラムと、を第２の記録媒体に記録する。
【００１６】
第２の記録媒体は、ユーザへ提供される記録媒体であり、例えばメモリーカードや書込可能なディスク状の記録メディア等が用いられる。これにより、ユーザは、外部装置を用いて、第２の記録媒体に記録された表示プログラムを起動させ、元画像と補正画像とを比較表示することができる。これにより、デジタルプリントの良さをアピールしてリピーターや新規顧客の獲得を図るために、デジタルプリント処理によってプリント品質が向上していることを顧客１人１人に説明する必要がない。このため、作業効率を悪化させることなく、プリント品質を向上させていることをアピールすることができ、顧客獲得を促進することができる。
【００１７】
なお、撮影画像記録用の記録媒体及び第１の記録媒体の少なくとも一方が記録メディアの場合、この少なくとも一方の記録媒体と第２の記録媒体とを同一としてもよい。すなわち、例えばユーザから提供された撮影画像記録用の記録媒体がデジタルカメラ等で撮影された撮影画像が記録された記録メディアである場合には、この記録メディアに画像情報及び表示プログラムを記録する。これにより、新しい記録メディアに画像情報及び表示プログラムを記録する必要がなく、サービスのコストを抑えることができる。
【００１８】
請求項２記載の発明は、前記画像情報は、前記補正画像の補正画像データと、前記補正画像データから前記元画像の元画像データを生成するための前記補正画像データと前記元画像データとの差分データと、を含み、前記表示プログラムは、前記外部装置において前記補正画像データと前記差分データとから前記元画像データを生成して、前記元画像と前記補正画像とを前記外部装置に比較表示させる機能を有することを特徴とする。
【００１９】
この発明によれば、補正画像データと差分データとから元画像の画像データを生成するため、第２の記録媒体に記録されるデータ量を少なくすることができる。
【００２０】
請求項３記載の発明は、前記画像情報は、前記元画像の元画像データと、前記補正画像の補正画像データとを含み、前記表示プログラムは、前記外部装置において前記元画像と前記補正画像とを前記外部装置に比較表示させる機能を有することを特徴とする。
【００２１】
この発明によれば、表示プログラムは、元画像と補正画像とを比較表示させる簡単なプログラムでよいため、プログラムサイズを小さくすることができ、その分、第２の記録媒体へ記録する画像データの容量を大きくすることができる。
【００２２】
請求項４記載の発明は、前記画像情報は、前記補正手段の補正内容を表す補正データをさらに含み、前記表示プログラムは、前記補正データに基づいて補正内容を前記外部装置に表示させる機能をさらに有することを特徴とする。
【００２３】
この発明によれば、補正内容を表す補正データが第２の記録媒体に記録される。この補正データは、例えば補正パラメータや、補正内容を説明する文字データ等のデータを含めることができる。このため、表示プログラムによって元画像と補正画像とを比較表示するだけでなく、どのような補正処理が行われたかを表す解説表示を行うことが可能となる。これにより、ユーザは、具体的にどのような補正処理が施されたのかを詳細に知ることができる。
【００２４】
請求項５記載の発明は、前記画像情報は、前記元画像の元画像データと、前記補正手段の補正内容を表す補正データと、を含み、前記表示プログラムは、前記外部装置において前記元画像データと前記補正データとから前記補正画像の補正画像データを生成して、前記元画像と前記補正画像とを前記外部装置に比較表示させると共に、前記補正データに基づいて補正内容を前記外部装置に表示させる機能を有することを特徴とする。
【００２５】
この発明によれば、表示プログラムは、元画像データと補正データとから補正画像データを生成することができる。すなわち、表示プログラムが補正処理を直接行うことができるため、補正データをユーザ側で適宜変更することにより、自由に撮影画像を補正することが可能となる。
【００２６】
請求項６記載の記録媒体の発明は、前記請求項１乃至請求項５の何れか１項に記載の画像処理装置により、前記補正前の元画像と補正後の補正画像とを外部装置において比較表示するための画像情報と、前記画像情報に基づいて前記元画像と前記補正画像とを前記外部装置において比較表示するための表示プログラムと、が記録されたことを特徴とする。
【００２７】
この記録媒体に記録された表示プログラムを外部装置により起動して元画像と補正画像とを比較表示することにより、ユーザは、元画像に対してどの程度画像品質が向上したのかを容易に把握することができる。
【００２８】
【発明の実施の形態】
図１及び図２には、本発明の実施の形態に係るディジタルラボシステム１０の概略構成が示されている。
【００２９】
図１に示すように、このディジタルラボシステム１０は、エリアＣＣＤスキャナ１４、画像処理部１６、レーザプリンタ部１８、及びプロセッサ部２０を含んで構成されており、エリアＣＣＤスキャナ１４と画像処理部１６は、図２に示す入力部２６として一体化されており、レーザプリンタ部１８及びプロセッサ部２０は、図２に示す出力部２８として一体化されている。
【００３０】
エリアＣＣＤスキャナ１４は、ネガフィルムやリバーサルフィルム等の写真フィルム２２に記録されているコマ画像（画像コマ）を読み取るためのものであり、例えば１３５サイズの写真フィルム、１１０サイズの写真フィルム、及び透明な磁気層が形成された写真フィルム（２４０サイズの写真フィルム：所謂ＡＰＳフィルム）、１２０サイズ及び２２０サイズ（ブローニサイズ）の写真フィルムのコマ画像を読取対象とすることができる。
【００３１】
エリアＣＣＤスキャナ１４は、上記の読取対象のコマ画像をエリアＣＣＤ３０で読取り、Ａ／Ｄ変換器３２においてＡ／Ｄ変換した後、画像データを画像処理部１６へ出力する。なお、本実施の形態では、１３５サイズの写真フィルム２２を適用した場合のディジタルラボシステム１０として説明する。
【００３２】
次にエリアＣＣＤスキャナ１４の構成について説明する。図１に示すように、エリアＣＣＤスキャナ１４は、ファインスキャン用のエリアＣＣＤ３０と、プレスキャン用のラインＣＣＤ１０６に対して同一の光源（ハロゲンランプ６４）を用いるものである。
【００３３】
エリアＣＣＤスキャナ１４の光学系は、光源であるハロゲンランプ６４を備えている。ハロゲンランプ６４が焦点位置に位置するように、放物面状のリフレクタ２４が配設されており、ハロゲンランプ６４から射出されリフレクタ２４によって反射された光がフィルムキャリア７８の搬送路上の第１読取位置（写真フィルム２２）方向に照射されるものである。
【００３４】
ハロゲンランプ６４の光射出側には、ハロゲンランプ６４からの出射光からＩＲ（赤外光）成分を除去するＩＲカットフィルタ６６、色分解フィルタ７０Ｒ、７０Ｇ、７０Ｂ、ミラーボックス７２が光軸Ｌに沿って順に配設されている。色分解フィルタ７０Ｒ、７０Ｇ、７０Ｂは、それぞれ独立に光路に対して進退可能に構成されており、ハロゲンランプ６４から照射され、ＩＲカットフィルタ６６で赤外光成分をカットされた可視光を色分解するものである。
【００３５】
ミラーボックス７２は、ハロゲンランプ６４からの出射光を内壁で反射して拡散させながら写真フィルム２２のコマ画像に案内するものである。
【００３６】
さらに、ミラーボックス７２の上部には、ミラーボックス７２から射出される可視光の半分程度を反射させる反射ミラー９０が備えられている。この反射ミラー９０で反射された可視光が反射ミラー９２でさらに反射されてフィルムキャリア７８の第１読取位置Ｐ１に案内される構成である。
【００３７】
写真フィルム２２が装填されるフィルムキャリア７８は、プレスキャンとファインスキャンを並行的に処理するために、ループ形成部を挟んで写真フィルム２２を連続搬送するプレスキャン部１０２と、写真フィルム２２が所定位置で停止し、コマ画像を読み取られると画像コマピッチ分搬送する間欠的搬送が行なわれるファインスキャン部１０４とを備える。プレスキャン部１０２は、第１読取位置Ｐ１で、ファインスキャン部１０４は第２読取位置Ｐ２で写真フィルム２２に可視光が照射されるように構成されている。
【００３８】
この第１読取位置Ｐ１において、写真フィルム２２を挟んで反射ミラー９２と反対側には、写真フィルム２２を透過した光を結像させるレンズユニット７４、及び結像位置に設けられたラインＣＣＤ１０６が順に配置されている。
【００３９】
ラインＣＣＤ１０６は、ＲＧＢ３色それぞれを単独で読取可能な３個のラインＣＣＤから構成されている。
【００４０】
一方、第２読取位置Ｐ２において、写真フィルム２２を挟んでハロゲンランプ６４と反対側には、写真フィルム２２を透過した光を結像させるレンズユニット７４、及び結像位置に設けられたエリアＣＣＤ３０が順に配置されている。
【００４１】
エリアＣＣＤ３０は、光を検出する複数の画素が写真フィルム２２の長手方向および幅方向に沿って平面（二次元）的に並べられており、全画素が受光した光に応じて電荷を蓄積する機能を有しており、コマ画像（二次元）を電気的に読み取ることができる。
【００４２】
なお、画像処理部１６の画像メモリ４４には、予め可視光（ＲＧＢ）に対するシェーディング補正データが記憶されている。
【００４３】
画像処理部１６は、エリアＣＣＤスキャナ１４から出力された画像データ（スキャン画像データ）が入力されると共に、デジタルカメラ３４等での撮影によって得られた画像データ、原稿（例えば反射原稿等）をスキャナ３６（フラットベット型）で読み取ることで得られた画像データ、他のコンピュータで生成され、フレキシブルディスクドライブ３８、ＣＤドライブ４０、図示しないメモリカードドライブによって読取られた各記録メディアに記録された画像データ、及びモデム４２を介して受信する通信画像データ等（以下、これらをファイル画像データと総称する）を外部から入力することも可能なように構成されている。
【００４４】
画像処理部１６は、画像メモリ４４、補正部４５、プログラムメモリ４６、インターフェース部４７を含んで構成されている。
【００４５】
なお、本実施の形態では、デジタルデータを追記可能なＣＤ−Ｒ（ｃｏｍｐａｃｔ　ｄｉｓｃ　ｒｅｃｏｒｄａｂｌｅ）ディスクに対応したＣＤドライブ４０の場合について説明するが、本発明はこれに限定されるものではなく、デジタルデータの書き換えが可能なＣＤ−ＲＷ（ｃｏｍｐａｃｔ　ｄｉｓｃ　ｒｅｗｒｉｔａｂｌｅ）ディスクやＤＶＤ−Ｒ（ｄｉｇｉｔａｌ　ｖｉｄｅｏ　ｄｉｓｃ　ｒｅｃｏｒｄａｂｌｅ）ディスク、ＤＶＤ−ＲＷ（ｄｉｇｉｔａｌ　ｖｉｄｅｏ　ｄｉｓｃ　ｒｅｗｒｉｔａｂｌｅ）ディスク、ＤＶＤ−ＲＡＭ（ｄｉｇｉｔａｌ　ｖｉｄｅｏ　ｄｉｓｃ　ｒａｎｄｏｍ　ａｃｃｅｓｓ　ｍｅｍｏｒｙ）に対応したドライブ装置を用いてもよい。また、ＭＯ（ｍａｇｎｅｔｏ　ｏｐｔｉｃａｌ）ディスクに対応したＭＯドライブを用いてもよい。
【００４６】
補正部４５は、例えば図示しない色補正部、階調補正部、画像の超低周波輝度成分の階調を圧縮するハイパートーン処理部、粒状を抑制しながらシャープネスを強調するハイパーシャープネス処理部等の各種補正や画像処理を行う処理部を含んで構成されている。
【００４７】
プログラムメモリ４６には、画像処理前の元画像と、補正部４５による各種補正や画像処理後の補正画像と、を例えばパーソナルコンピュータ（以下、ＰＣという）等の外部装置において比較表示するための機能を備えた表示プログラムが予め記憶されている。
【００４８】
入力された画像データは、画像メモリ４４に記憶され、補正部４５において各種の補正等の画像処理が施されて、記録用画像データとしてレーザプリンタ部１８へインターフェース部４７を介して出力される。
【００４９】
また、画像処理部１６は、画像処理を行った画像データを例えばＪＰＥＧ（ｊｏｉｎｔ　ｐｈｏｔｏｇｒａｐｈｉｃ　ｃｏｄｉｎｇ　ｅｘｐｅｒｔｓ　ｇｒｏｕｐ）形式やＢＭＰ（ｂｉｔｍａｐ）形式の画像データとして外部へ出力する（例えばＦＤ、ＣＤ、ＭＯ等の記録媒体に出力したり、通信回線を介して他の情報処理機器へ送信する等）ことも可能とされている。
【００５０】
なお、本実施の形態では、ＢＭＰ形式の画像データを外部へ出力する場合について説明する。
【００５１】
レーザプリンタ部１８はＲ、Ｇ、Ｂのレーザ光源５２を備えており、レーザドライバ５４を制御して、画像処理部１６から入力された記録用画像データ（一旦、画像メモリ５６に記憶される）に応じて変調したレーザ光を印画紙に照射して、走査露光（本実施形態では、主としてポリゴンミラー５８、ｆθレンズ６０を用いた光学系）によって印画紙６２に画像を記録する。また、プロセッサ部２０は、レーザプリンタ部１８で走査露光によって画像が記録された印画紙６２に対し、発色現像、漂白定着、水洗、乾燥の各処理を施す。これにより、印画紙上に画像が形成される。
【００５２】
なお、エリアＣＣＤスキャナ１４、デジタルカメラ３４、スキャナ３６、フロッピディスクドライブ３８、ＣＤドライブ４０、及びモデム４２は本発明の画像入力手段に相当し、補正部４５は本発明の補正手段に相当し、レーザプリンタ部１８及びプロセッサ部２０、又はインターフェース部４７は本発明の撮影画像記録手段に相当し、補正部４５及びインターフェース部４７は本発明のプログラム記録手段に相当し、印画紙６２又はメモリーカードやフレキシブルディスク、ＣＤ−Ｒディスク等の記録メディアは本発明の第１の記録媒体に相当し、ＣＤ−Ｒディスク等の記録メディアは、本発明の第２の記録媒体に相当する。
【００５３】
次に、本発明の実施の形態の作用として、補正部４５において実行される制御ルーチン及びユーザのＰＣで実行される制御ルーチンについて図３，４に示すフローチャートを参照して説明する。
【００５４】
デジタルラボシステム１０のオペレータは、撮影画像が記録された写真フィルム２２をフィルムキャリア７８にセットすると共に、空のＣＤ−ＲディスクをＣＤドライブ４０にセットして所定の操作を行い、処理の開始を指示する。これにより、写真フィルム２２に記録された撮影画像の読取りが開始され、エリアＣＣＤ３０によって読取られた撮影画像がＡ／Ｄ変換器３２によってＡ／Ｄ変換され、画像処理部１６へ出力される。
【００５５】
補正部４５では、図３に示すように、ステップ２００において、画像データがエリアＣＣＤスキャナ１４から画像データが入力されたか否かが判断される。
【００５６】
そして、画像データが入力されていない場合には、ステップ２００の判断が否定され、画像データが入力されるまで待機する。一方、画像データが入力された場合には、ステップ２００の判断が肯定され、ステップ２０２へ移行する。
【００５７】
ステップ２０２では、入力されたＢＭＰ形式の画像処理前の元画像データに対して、色補正、階調補正、ハイパートーン処理部、ハイパーシャープネス処理等の各種補正や画像処理を行って補正画像データを生成する。
【００５８】
そして、次のステップ２０４では、元画像データと補正画像データとに基づいて、差分データを生成する。これは、例えば各画素について元画像データと補正画像データとの差分をとることにより生成することができる。このとき、差分データは、元画像データと補正画像データとの差分なので、元画像データや補正画像データのビット数よりも少ないビット数とすることができる。このため、画像情報のサイズを小さくすることができる。
【００５９】
次のステップ２０６では、補正画像データ、差分データ、及び補正部４５による各種補正の内容を表す補正データ、すなわち例えば補正処理を実行した際の補正パラメータを含む画像情報と、プログラムメモリ４６に記憶された表示プログラムを、インターフェース部４７を介してＣＤドライブ４０に送信する。
【００６０】
これにより、ＣＤドライブ４０では、画像処理部１６から送信された画像情報及び表示プログラムをセットされたＣＤ−Ｒディスクに書き込む。表示プログラムは、補正画像データと差分データとから元画像の元画像データを生成して、元画像と補正画像とを比較表示すると共に、補正データに基づいて画像処理の解説データを生成して表示する機能を備えている。表示プログラムは、例えば補正パラメータとこれに対応した解説用の文字データとの対応関係を示すテーブルデータを含み、このテーブルデータから補正パラメータに対応する文字データを解説データとして表示することができる。
【００６１】
ステップ２０８では、補正画像データをインターフェース部４７を介してレーザプリンタ部１８へ送信する。これにより、送信された補正画像データは一旦画像メモリ５６に記憶される。そして、この補正画像データに応じて変調したレーザ光が印画紙に照射されて、走査露光によって印画紙６２に画像が記録される。次に、プロセッサ部２０により、レーザプリンタ部１８で走査露光によって画像が記録された印画紙６２に対し、発色現像、漂白定着、水洗、乾燥の各処理が施される。これにより、印画紙上に画像が形成される。
【００６２】
このようにして、ＣＤ−Ｒディスクに補正画像データ、差分データ、及び補正データを含む画像情報と、表示プログラムが記録されると共に、印画紙６２に撮影画像が形成される。このＣＤ−Ｒディスクと印画紙は、ユーザへ受け渡される。
【００６３】
次に、ユーザ側のＰＣで実行される制御ルーチンについて、図４に示すフローチャートを参照して説明する。
【００６４】
ユーザは、受け取ったＣＤ−ＲディスクをＰＣにセットする。これにより、図４に示すように、ステップ３００では、ＣＤ−Ｒディスクに記録された表示プログラムが起動する。
【００６５】
ステップ３０２では、表示プログラムにより、ＣＤ−Ｒディスクに記録された補正画像データ、差分データ、及び補正データが読み込まれる。
【００６６】
ステップ３０４では、補正画像データと差分データとから元画像の元画像データを生成すると共に、補正データに基づいて解説データを生成する。
【００６７】
ステップ３０６では、元画像データと補正画像データとに基づいて、図５に示すように、元画像８０と補正画像８２との比較表示と、補正内容を表す解説８４とを画面８６に表示させる。
【００６８】
これにより、ユーザは、印画紙６２に形成された撮影画像が、元画像に対してどのような補正が施されたものであるのかを容易に認識することができると共に、どの程度プリント品質が向上しているのかを容易に認識することができる。このため、ラボ店側では、デジタルプリント処理によってプリント品質が向上していることを顧客１人１人に説明する必要がない。従って、作業効率を悪化させることなく、プリント品質を向上させていることをアピールすることができ、顧客獲得を促進することができる。
【００６９】
なお、本実施の形態では、画像情報として補正画像データ、差分データ、及び補正データをＣＤ−Ｒディスクに記録し、表示プログラムは、補正画像データと差分データとに基づいて元画像の画像データを生成して比較表示する場合について説明したが、これに限らない。
【００７０】
例えば、画像情報が元画像データ、補正画像データ、及び補正データを含むようにし、表示プログラムは、元画像と補正画像とを単純に比較表示すると共に、補正データに基づいて解説表示するようにしてもよい。この場合、表示プログラムは、元画像と補正画像とを比較表示させる簡単なプログラムでよいため、プログラムサイズを小さくすることができる。
【００７１】
また、画像情報が元画像データ及び補正データを含むようにし、表示プログラムは、元画像データと補正データとから補正画像データを生成して、元画像と補正画像とを比較表示すると共に、補正データに基づいて解説表示するようにしてもよい。この場合、表示プログラムが補正処理を直接行うことができるため、補正データをユーザ側で適宜変更することにより、自由に撮影画像を補正することが可能となる。
【００７２】
【発明の効果】
以上説明したように、本発明によれば、プリント品質の向上を効率よくアピールするのを促進することができる、という優れた効果を有する。
【図面の簡単な説明】
【図１】本発明に係るディジタルラボシステムの概略構成図である。
【図２】本発明に係るディジタルラボシステムの外観図である。
【図３】ラボ側で実行される制御ルーチンのフローチャートである。
【図４】ユーザのＰＣ側で実行される制御ルーチンのフローチャートである。
【図５】元画像と補正画像の比較表示例を示すイメージ図である。
【符号の説明】
１０　ディジタルラボシステム
１４　スキャナ
１６　画像処理部
１８　レーザプリンタ部
２０　プロセッサ部
２２　写真フィルム
３４　デジタルカメラ
３６　スキャナ
３８　フレキシブルディスクドライブ
４０　ＣＤドライブ
４２　モデム
４４　画像メモリ
４６　プログラムメモリ
【図１】
2004112053.tif 000003
【図２】
2004112053.tif 000004
【図３】
2004112053.tif 000005
【図４】
2004112053.tif 000006
【図５】
2004112053.tif 000007